【手続補正書】
【提出日】平成19年3月15日(2007.3.15)
【手続補正１】
【補正対象書類名】明細書
【補正対象項目名】特許請求の範囲
【補正方法】変更
【補正の内容】
【特許請求の範囲】
【請求項１】  電子ビーム遮蔽体であって、
天井を有する電子ビーム炉内に取り付けられた少なくとも２つの電子ビーム銃の間に延びる寸法とされた水平方向に延びている平面状バリアーと、
該平面状バリアーと前記天井とに取り付けられた締結具チェーンとを備えた、電子ビーム遮蔽体。
【請求項２】  請求項１の電子ビーム遮蔽体において、
前記平面状バリアーが軟鋼で製造された平面状シートを備えている、電子ビーム遮蔽体。
【請求項３】  請求項１の電子ビーム遮蔽体において、
前記平面状バリアーが実質的に円弧状の上端縁を有する、電子ビーム遮蔽体。
【請求項４】  電子ビーム遮蔽装置において、
軟鋼で製造され且つ天井を有する電子ビーム炉内に取り付けられた２つの電子ビーム銃の間に延びる寸法とされたプレートと、
該プレートの上端縁に固着された少なくとも２つのクロスブレースと、
当該クロスブレースの各々に設けられた少なくとも１つの締結具穴と、
前記相応するクロスブレースを前記天井の一部分に取り付けるための、相応するクロスブレースの締結具穴に相応する可撓性の締結具部材とを備える、電子ビーム遮蔽装置。
【請求項５】  電子ビーム炉において、
チャンバ手段と、
当該チャンバ手段の底部に設けられ、その上に原材料を支持する炉床手段と、
前記原材料を溶融させ且つ前記炉床手段上に当該溶融させた原材料の流れを形成するために、前記炉床手段の上方へ向けられた複数の電子ビーム発生手段と、
少なくとも２つの電子ビーム銃の間で少なくとも部分的に垂直方向に延びているバリアーを確立する手段であって、当該バリアーを確立する手段が前記炉床手段上の前記溶融された原材料の流れ内へと延びないように、前記チャンバ手段の上方部分から垂直方向下方へ延びている前記バリアー確立手段と、を備えた電子ビーム炉。
【請求項６】  電子ビーム炉において、
上方部分及び下方部分を有する負圧チャンバと、
該負圧チャンバ内の骨組み構造体と、
前記負圧チャンバの前記下方部分内に設けられた炉床アセンブリと、
当該炉床アセンブリの上方で前記負圧チャンバ内に取り付けられた少なくとも２つの電子ビーム銃と、
可撓性部材によって前記骨組み構造体から吊り下げられ且つ前記電子ビーム銃の少なくとも２つの間に延びている少なくとも１つの平面状バリアーと、を備えた電子ビーム炉。
【請求項７】  請求項６の電子ビーム炉において、前記平面状バリアーの各々が軟鋼で製造されたプレートを備えている、電子ビーム炉。
【請求項８】  請求項６の電子ビーム炉において、
前記平面状バリアーの各々がその上端縁に取り付けられた少なくとも２つのクロス支柱を備え、当該クロス支柱が前記骨組み構造体にワイヤー止めされている、電子ビーム炉。
【請求項９】  請求項６の電子ビーム炉において、
第一及び第二の対の電子ビーム銃を備え、前記平面状バリアーが前記第一及び第二の対の電子ビーム銃の間の中央に配置されている、電子ビーム炉。
【請求項１０】 電子ビーム炉と遮蔽装置とを組み合わせた装置であって、
長手方向に延びている中心軸線を有している負圧チャンバと、
当該負圧チャンバ内の電子粒子の第一のビームを射出するために、前記長手方向に延びている中心軸線の一方の側において前記負圧チャンバに取り付けられている第一の電子ビーム銃と、
前記負圧チャンバ内の電子粒子の第二のビームを射出するために、前記長手方向に延びている中心軸線のもう一方の側において前記負圧チャンバに取り付けられている第二の電子ビーム銃と、
前記負圧チャンバ内に吊り下げられており且つ前記電子粒子の第一ビームと第二のビームとの間に延びている垂直方向に延びている長手方向バリアーと、を含んでいる装置。
【請求項１１】  請求項１０に記載の装置において、
前記負圧チャンバ内の電子粒子の第三のビームを射出するために、前記負圧チャンバに取り付けられた第三の電子ビーム銃と、
前記長手方向バリアーに取り付けられ且つ前記電子粒子の第一ビームと第三のビームとの間に横断方向に延びている垂直方向に延びている第一のバリアーと、を更に備えている装置。
【請求項１２】  請求項１１に記載の装置において、
前記垂直方向に延びている長手方向バリアーと前記垂直方向に延びている第一のバリアーとが平面状部材からなる装置。
【請求項１３】  請求項１２に記載の装置において、
前記平面状部材が軟鋼によって製造されている装置。
【請求項１４】  請求項１１に記載の装置において、
前記負圧チャンバ内の電子粒子の第四のビームを射出するために、前記負圧チャンバに取り付けられた第四の電子ビーム銃と、
前記垂直方向に延びているバリアーに取り付けられ且つ前記電子粒子の第二のビームと第四のビームとの間に横断方向に延びている垂直方向に延びている第二のバリアーと、を更に備えている装置。
【請求項１５】  請求項１４に記載の装置において、
前記垂直方向の延びている長手方向バリアーが、前記電子粒子の第一及び第二のビームと前記電子粒子の第三及び第四のビームとの間の中央に配置されている装置。
【請求項１６】  請求項１０に記載の装置において、
前記負圧チャンバ内の電子粒子の第五のビームを射出するために前記負圧チャンバに取り付けられている第五の電子ビーム銃と、
前記負圧チャンバ内の電子粒子の第六のビームを射出するために前記負圧チャンバに取り付けられている第六の電子ビーム銃と、
前記負圧チャンバ内に吊り下げられ且つ前記電子粒子の第五のビームと第六のビーム
との間に延びている第二の垂直方向に延びている長手方向バリアーと、を更に備えている装置。
【請求項１７】  請求項１６に記載の装置において、
前記負圧チャンバ内の電子粒子の第七のビームを射出するために前記負圧チャンバに取り付けられている第七の電子ビーム銃と、
前記第二の長手方向バリアーに固定されており且つ前記電子粒子の第五のビームと第七のビームとの間に延びている主要なバリアー部材と、を更に備えている装置。
装置。
【請求項１８】  請求項１７に記載の装置において、
前記負圧チャンバ内の電子粒子の第八のビームを射出するために前記負圧チャンバに取り付けられている第八の電子ビーム銃と、
前記第二の垂直方向に延びている長手方向バリアーに固定されており且つ前記電子粒子の第六のビームと第八のビームとの間に延びている第二のバリアー部材と、を更に備えている装置。
【請求項１９】  請求項１８に記載の装置において、
前記主要なバリアー部材が、前記電子粒子の第五のビームと第七のビームとの間の中央に配置されており、前記第二のバリアー部材が、前記電子粒子の第六のビームと第八のビームとの間の中央に配置されている装置。
【請求項２０】  請求項１０に記載の装置において、
前記第一の電子ビーム銃と前記第二の電子ビーム銃とが第一の横方向軸線に沿って互いに整合されている装置。
【請求項２１】  請求項１１に記載の装置において、
前記第一の電子ビーム銃と前記第三の電子ビーム銃とが第二の長手方向軸線に沿って互いに整合されている装置。
【請求項２２】  請求項１４に記載の装置において、
前記第三の電子ビーム銃と前記第四の電子ビーム銃とが第二の横方向軸線に沿って互いに整合されている装置。
【請求項２３】  請求項１４に記載の装置において、
前記第二の電子ビーム銃と前記第四の電子ビーム銃とが第三の長手方向軸線に沿って互いに整合されている装置。
【請求項２４】  請求項１６に記載の装置において、
前記負圧チャンバ内で前記電子粒子の第三及び第五のビームと前記電子粒子の第四及び第六のビームとの間に延びている垂直方向の壁を更に含んでいる装置。
【請求項２５】  請求項１６に記載の装置において、
前記第一、第三及び第五の電子ビーム銃が第二の長手方向軸線上で整合されており、前記第二、第四及び第六の電子ビーム銃が第三の長手方向軸線上で整合されている装置。
【請求項２６】  請求項１８に記載の装置において、
前記第一、第三、第五及び第七の電子ビーム銃が第二の長手方向軸線に沿って整合されており、前記第二、第四、第六及び第八の電子ビーム銃が第三の長手方向軸線上で整合されている装置。
【請求項２７】  電子ビーム炉と遮蔽装置とを組み合わせた装置において、
負圧チャンバと、
当該負圧チャンバ内に吊り下げられた垂直方向に延びている長手方向バリアーと、
該長手方向バリアーに隣接して吊り下げられ且つ前記負圧チャンバに取り付けられた第一の対の電子ビーム銃から射出された電子粒子のビーム間に延びるような寸法とされた第一の横断バリアーと、を備えている装置。
【請求項２８】  請求項２７の装置において、
前記垂直方向に延びている長手方向バリアーに隣接して吊り下げられ且つ前記負圧チャンバに取り付けられた第二の対の電子ビーム銃から射出された電子粒子のビーム間に延びる寸法とされた第二の横断バリアーを更に備えている、装置。
【請求項２９】  請求項２７の装置において、
前記長手方向バリアー及び前記第一及び第二の横断バリアーが平面状プレート部材を備えている、装置。
【請求項３０】  請求項２７の装置において、
前記第一の横断バリアーが、第一の対の電子ビーム銃の２つの電子ビーム銃の間の中央に配置されている、装置。
【請求項３１】  請求項２８の装置において、
前記第二の横断バリアーが、第二の対の電子ビーム銃の２つの電子ビーム銃の間の中央に配置されている、装置。
【請求項３２】  請求項２８の装置において、
前記長手方向バリアーが、第一及び第二の対の電子ビーム銃の間の中央に配置されている、装置。
【請求項３３】  請求項２８の装置において、
前記第一の横断バリアーが、第一の対の電子ビーム銃を備える２つの電子ビーム銃の間の中央に配置され、前記第二の横断バリアーが、第二の対の電子ビーム銃を備える電子ビーム銃の間の中央に配置されている、装置。
【請求項３４】  請求項２７の装置において、
負圧チャンバ内で吊り下げられた垂直方向に延びている第二の長手方向バリアーと、
前記第二の垂直方向に延びている長手方向バリアー部材に隣接して吊り下げられ且つ前記負圧チャンバに取り付けられた第三の対の電子ビーム銃から射出された電子粒子のビーム間に延びる寸法とされた主要な横断バリアー部材と、を更に備えている装置。
【請求項３５】  請求項３４の装置において、
前記第二の長手方向バリアーに隣接して吊り下げられ且つ前記負圧チャンバに取り付けられた第四の対の電子ビーム銃から射出された電子粒子のビーム間に延びる寸法とされた第二の横断バリアー部材を更に備えている、装置。
【請求項３６】  請求項３５の装置において、
前記第二の長手方向バリアーが、前記第三及び第四の対の電子ビーム銃の間の中央に配置されている、装置。
【請求項３７】  請求項３４の装置において、
前記主要な横断バリアー部材が、第三の対の電子ビーム銃を備える電子ビーム銃の間の中央に配置されている、装置。
【請求項３８】  請求項３５の装置において、
前記第二の横断バリアー部材が、第四の対の電子ビーム銃を備える電子ビーム銃の間の中央に配置されている、装置。
【請求項３９】  請求項３５の装置において、
前記主要な横断バリアー部材が、第三の対の電子ビーム銃を備える電子ビーム銃の間の中央に配置され、前記第二の横断バリアー部材が、第四の対の電子ビーム銃を備える電子ビーム銃の間の中央に配置されている、装置。
【請求項４０】  電子ビーム炉において、
長手軸線を有する負圧チャンバと、
該負圧チャンバ内の炉床アセンブリと、
電子ビームを該炉床アセンブリに向けて放出し得るよう前記負圧チャンバに固着された第一の対の電子ビーム銃と、
電子ビームを該炉床アセンブリに向けて放出し得るよう前記負圧チャンバに固着された第二の対の電子ビーム銃と、
前記負圧チャンバ内で前記第一及び第二の対の電子ビーム銃の間にて吊り下げられた垂直方向に延びている平面状バリアー部材であって、前記第一の対の電子ビーム銃のうちの一の電子ビーム銃と当該第一の対の電子ビーム銃のうちの他の電子ビーム銃との間で前記長手軸線の少なくとも一部分に沿って延びており、更に、前記第二の対の電子ビーム銃のうちの一の電子ビーム銃と当該第二の対の電子ビーム銃のうちの他の電子ビーム銃との間に延びている前記平面状バリアー部材と、を備えている電子ビーム炉。
【請求項４１】  電子ビーム銃の集合体のための遮蔽体アセンブリであって、
第一の垂直方向に延びている長手方向バリアーと、
当該第一の垂直方向に延びている長手方向バリアーの一方の側部に取り付けられている第一の垂直方向に延びている横断バリアーと、
前記第一の垂直方向に延びている長手方向バリアーの反対側の側部に取り付けられ且つ当該長手方向バリアーから突出している第二の垂直方向に延びている横断バリアーと、を備えている遮蔽体アセンブリ。
【請求項４２】  請求項４０の電子ビーム炉において、
前記長手方向バリアーに隣接して支持され且つ前記第一の対の電子ビーム銃を備える電子ビーム銃の間の中央に配置され、前記電子ビーム銃のうちの１つが第二の対の電子ビーム銃を含んでいる第一の横断バリアー部材と、
前記長手方向バリアー部材に隣接して支持され且つ前記第一の対の電子ビーム銃のうちの前記他方の電子ビーム銃と前記第二の対の電子ビーム銃の前記電子ビーム銃の他方との間の中央に配置されている、前記電子ビーム銃のうちの１つが第二の対の電子ビーム銃を含んでいる第二の横断バリアー部材と備えている、電子ビーム炉。
【請求項４３】  請求項４２の電子ビーム炉において、
前記第一及び第二の横断バリアーが前記長手方向バリアーに取り付けられている、電子ビーム炉。
【請求項４４】  請求項４３の電子ビーム炉において、
前記負圧チャンバが、第一の溶融領域部分及び第二の溶融領域部分を有する溶融領域を画定しており、前記炉床アセンブリが、前記第一及び第二の溶融領域部分を貫通して延びており、前記第一及び第二の対の電子ビーム銃が、前記第一の溶融領域部分内にて前記炉床アセンブリの上で電子ビームを放出し得るように方向決めされている、電子ビーム炉。
【請求項４５】  請求項４４の電子ビーム炉において、
前記第二の溶融領域部分内で前記炉床アセンブリに向けて電子ビームを放出し得るように前記負圧チャンバに固着された第三の対の電子ビーム銃と、
前記第二の溶融領域部分内で前記炉床アセンブリに向けて電子ビームを放出し得るように前記負圧チャンバに固着された第四の対の電子ビーム銃と、
前記第二の溶融領域部分内で、前記第三の対の電子ビーム銃のうちの一の電子ビーム銃と当該第三の対の電子ビーム銃の他の前記電子ビーム銃との間に吊り下げられ且つ前記第四の対の電子ビーム銃のうちの一の電子ビーム銃と当該第四の対の電子ビーム銃の他の電子ビーム銃との間に延びている第二の長手方向横断バリアー部材と、を更に備えている電子ビーム炉。
【請求項４６】  請求項４５の電子ビーム炉において、
前記第二の長手方向バリアーに固着され且つ前記第三の対の電子ビーム銃のうちの前記一の電子ビーム銃と前記第四の対の電子ビーム銃のうちの前記一の電子ビーム銃との間の
中央に配置された主要な横断バリアー部材と、
前記第二の長手方向バリアー部材に固着され且つ前記第三の対の電子ビーム銃のうちの前記他の電子ビーム銃と前記第四の対の電子ビーム銃のうちの前記他の電子ビーム銃との間の中央に配置された第二の横断バリアー部材と、を更に備えている電子ビーム炉。
【請求項４７】  電子ビーム炉の負圧チャンバ内で少なくとも３つの電子ビーム銃により発生された電子ビーム間の相互作用を制限する方法において、
バリアーが少なくとも３つの電子ビーム銃のうちの２つにより発生された電子ビームの間に延びるように垂直方向に延びている長手方向バリアーを負圧チャンバの上方部分から吊り下げることと、
前記垂直方向に延びている横断部材が、前記３つの電子ビーム銃のうちの一の電子ビーム銃による電子ビームと、前記少なくとも３つの電子ビーム銃のうちの他の電子ビーム銃による電子ビームとの間に延びるように、垂直方向に延びている長手方向バリアーを負圧チャンバの上方部分から吊り下げることと、を備えている方法。
【請求項４８】  請求項４７に記載の方法であり、
前記垂直方向に延びている長手方向バリアーを吊り下げる前記ステップが、第一の平面状のバリアー部材を前記負圧チャンバの上方部分にチェーンで繋ぐことを含んでいる方法。
【請求項４９】  請求項４７に記載の方法であり、
前記垂直方向に延びている長手方向バリアーを吊り下げる前記ステップが、第一の平面状のバリアー部材を前記負圧チャンバの上方部分にワイヤで繋ぐことを含んでいる方法。
【請求項５０】  請求項４７に記載の方法であり、
前記垂直方向に延びている長手方向バリアーを吊り下げる前記ステップが、第二の平面状のバリアー部材を前記負圧チャンバの上方部分にチェーンで繋ぐことを含んでいる方法。
【請求項５１】  請求項４７に記載の方法であり、
前記垂直方向に延びている長手方向バリアーを吊り下げる前記ステップが、第二の平面状のバリアー部材を前記負圧チャンバの上方部分にワイヤで繋ぐことを含んでいる方法。
【請求項５２】  請求項４１に記載の遮蔽体アセンブリであり、
前記第一の垂直方向に延びている長手方向バリアーに取り付けられた第二の垂直方向に延びている長手方向バリアーと、
前記第二の垂直方向に延びている長手方向バリアーの一方の側部に取り付けられ且つ前記第一の垂直方向に延びている横断バリアーにほぼ平行である主要な垂直方向に延びている横断バリアーと、
前記第二の垂直方向に延びている長手方向バリアーの他方の側部に取り付けられ且つ前記第二の垂直方向に延びている横断バリアーにほぼ平行である第二の垂直方向に延びている横断バリアーと、を更に含んでいる遮蔽体アセンブリ。